(57)【要約】  薬物送達デバイス（１）のアセンブリが提供され、このアセンブリは、薬物（７）の少なくとも１つの用量を含むように適合および配置されたカートリッジ（２）と、カートリッジ（２）内に摺動可能に配置される栓（１０）と、遠位端および近位端を備えるハウジング（３）と、薬物（７）の用量を投薬するために栓（１０）をハウジング（３）に対して遠位方向に移動させるように適合および配置されたピストン・ロッド（１１）とを備える。アセンブリはさらに、用量を投薬するための動きをピストン・ロッド（１１）に移すように適合および配置された駆動部材（１３）と、ピストン・ロッド（１１）およびハウジング（３）と機械的に協働するように構成された係合部材（１８）とを備える。係合部材（１８）は、係合部材（１８）がハウジング（３）に対して回転することが可能になるリセット位置と、係合部材（１８）がハウジング（３）に対して回転ロックされる作動位置との間で移動可能であり、アセンブリは、係合部材（１８）が作動位置とリセット位置の間を移動中に係合部材（１８）が回転され同時に軸方向に移動されるように構成される。係合部材（１８）とハウジング（３）は互いにねじ山で係合され、係合部材（１８）とハウジング（３）の少なくとも一方はねじ山を備え、係合部材（１８）とハウジング（３）のもう一方は、相互作用要素を備える。さらに、薬物送達デバイス（１）のための係合部材（１８）の使用が説明される。
2014531949.tif 000002
【特許請求の範囲】
【請求項１】
薬物送達デバイス（１）のアセンブリであって、
薬物（７）の少なくとも１つの用量を含むように適合および配置されたカートリッジ（２）と、
カートリッジ（２）内に摺動可能に配置される栓（１０）と、
遠位端および近位端を備えるハウジング（３）と、
薬物（７）の用量を投薬するために栓（１０）をハウジング（３）に対して遠位方向に移動させるように適合および配置されたピストン・ロッド（１１）と、
用量を投薬するための動きをピストン・ロッド（１１）に移すように適合および配置された駆動部材（１３）と、
ピストン・ロッド（１１）およびハウジング（３）と機械的に協働するように構成された係合部材（１８）とを備え、
さらに係合部材（１８）は、該係合部材（１８）がハウジング（３）に対して回転することが可能になるリセット位置と、該係合部材（１８）がハウジング（３）に対して回転ロックされる作動位置との間で移動可能であり、該アセンブリは、係合部材（１８）が作動位置とリセット位置の間を移動中に係合部材（１８）が回転され同時に軸方向に移動されるように構成され、
係合部材（１８）とハウジング（３）は互いにねじ山で係合され、係合部材（１８）とハウジング（３）の少なくとも一方はねじ山を備え、係合部材（１８）とハウジング（３）のもう一方は、ねじ山と係合してねじ山係合を確立する相互作用要素を備える、上記アセンブリ。
【請求項２】
ねじ山は、円周方向に延びる端部を備え、係合部材（１８）がリセット位置にあるときに、相互作用要素は、係合部材（１８）がハウジング（３）に対して軸方向に移動されなくてもハウジング（３）に対して回転可能になるように端部と機械的に協働する、請求項１に記載のアセンブリ。
【請求項３】
ねじ山はハウジング（３）に設けられる、請求項１または請求項２に記載のアセンブリ。
【請求項４】
相互作用要素は、ねじ山、ねじ山の一部、および少なくとも１つのノブのうちの少なくとも１つを備える、請求項１〜３のいずれかに記載のアセンブリ。
【請求項５】
係合部材（１８）とピストン・ロッド（１１）は互いにねじ山で係合され、係合部材（１８）とピストン・ロッド（１１）の少なくとも一方は別のねじ山を備え、係合部材（１８）とピストン・ロッド（１１）のもう一方は、ねじ山と係合してねじ山係合を確立する別の相互作用要素を備える、請求項１〜４のいずれかに記載のアセンブリ。
【請求項６】
別の相互作用要素は、ねじ山、ねじ山の一部、および少なくとも１つのノブのうちの少なくとも１つを備える、請求項５に記載のアセンブリ。
【請求項７】
係合部材（１８）は複数の歯（１８Ｃ）を備え、係合部材（１８）が作動位置にあるときに、歯（１８Ｃ）は、係合部材（１８）がハウジング（３）に対して回転ロックされるように、ハウジング（３）の噛合い歯と機械的に協働する、請求項１〜６のいずれかに記載のアセンブリ。
【請求項８】
ハウジング（３）と係合部材（１８）の少なくとも一方で設けられたねじ山は、係合部材（１８）がリセット位置と作動位置の間で移動されるときに係合部材（１８）がピストン・ロッド（１１）に対して、またハウジング（３）に対して回転可能になるように、係合部材（１８）とピストン・ロッド（１１）の少なくとも一方で設けられた別のねじ山と比べて等しいリードおよび回り方向を備える、請求項５〜７のいずれかに記載のアセンブリ。
【請求項９】
アセンブリは、カートリッジ（２）に解放可能に連結されるように構成される投薬アセンブリ（１５）を備え、アセンブリは、カートリッジ（２）が投薬アセンブリ（１５）からデカップリングされるときに係合部材（１８）が作動位置からリセット位置まで移動されるよう、軸方向に向けた力を係合部材（１８）に作用させるように適合および配置されるばね（１９）を備える、請求項１〜８のいずれかに記載のアセンブリ。
【請求項１０】
投薬アセンブリ（１５）がカートリッジ（２）に連結されるとき、係合部材（１８）は、デバイス（１）のカートリッジ（２）またはカートリッジ・ホルダ（６）と係合部材（１８）が機械的に協働することによって、作動位置に移動される、請求項９に記載のアセンブリ。
【請求項１１】
薬物送達デバイス（１）の係合部材（１８）の使用であって、係合部材（１８）の内面には相互作用要素（１８Ａ）が設けられ、係合部材（１８）の外面には別の相互作用要素（１８Ｂ）が設けられ、相互作用要素（１８Ａ、１８Ｂ）は、ピッチおよび回り方向が等しい別個の２つのねじ山とねじ山係合するように提供され、係合部材は、異なる２つのねじ山とのねじ山係合を同時に確立するために使用される、上記使用。
【発明の詳細な説明】
【技術分野】
【０００１】
本開示は、薬物送達デバイスのアセンブリに関する。
【背景技術】
【０００２】
薬物送達デバイスでは、薬物の複数の用量を含むカートリッジ内の栓をピストン・ロッドによって移動させることが多い。それによって、ある用量の薬物がカートリッジから排出される。
【０００３】
薬物送達デバイスは、例えば、特許文献１に記載されている。
【先行技術文献】
【特許文献】
【０００４】
【特許文献１】欧州特許出願公開第１９２３０８３Ａ１号
【発明の概要】
【発明が解決しようとする課題】
【０００５】
本開示の目的は、改善された薬物送達デバイス（例えば、使用者の快適さを向上させるデバイスおよび／または対費用効果の高い薬物送達デバイス）を提供することである。
【課題を解決するための手段】
【０００６】
この目的は、独立請求項の主題によって達成することができる。有利な実施形態および改良は、従属請求項の主題である。
【０００７】
一態様は、薬物送達デバイスのアセンブリに関する。このアセンブリはカートリッジを備えることができる。カートリッジは、薬物の少なくとも１つの用量を含むように、好ましくは薬物の複数の用量を含むように適合および配置することができる。栓をカートリッジ内に摺動可能に配置することができる。アセンブリはハウジングを備えることができる。ハウジングは、遠位端および近位端を備えることができる。アセンブリはさらに、ピストン・ロッドを備えることができる。ピストン・ロッドは、薬物の用量を投薬するために栓をハウジングに対して遠位方向に移動させるように適合および配置することができる。アセンブリはさらに、駆動部材を備えることができる。駆動部材は、用量を投薬するための動きをピストン・ロッドに移すように適合および配置することができる。アセンブリはさらに、係合部材を備えることができる。係合部材は、ピストン・ロッドおよびハウジングと機械的に協働するように構成することができる。係合部材は、リセット位置と作動位置の間で移動可能にすることができる。リセット位置では、係合部材がハウジングに対して回転することを可能にすることができる。作動位置では、係合部材は、ハウジングに対して回転ロックすることができる。アセンブリは、係合部材が作動位置とリセット位置の間を移動中に回転され同時に軸方向に移動されるように構成することができる。係合部材とハウジングは互いにねじ山で係合することができる。係合部材とハウジングの少なくとも一方はねじ山を備え、係合部材とハウジングのもう一方は、ねじ山と係合してねじ山係合を確立する相互作用要素を備えることができる。あるいは、ねじ山または相互作用要素は、ハウジングに固定して取り付けられる（具体的にはハウジングに対して軸方向移動および回転移動しないように固定される）部材に、例えば挿入物に設けることができる。
【０００８】
「ねじ山で係合された」という用語は、好ましくは、構成要素（例えば、ハウジングと係合部材）のらせんねじ山の噛み合わせを意味するものである。あるいは、「ねじ山で係合された」という用語は、一方の構成要素（例えば、ハウジング）のらせんねじ山と、もう一方の構成要素（例えば、係合部材）のねじ山の部分との噛み合わせを意味することもある。あるいは、「ねじ山で係合された」という用語は、一方の構成要素（例えば、ハウジング）のらせんねじ山と、もう一方の構成要素（例えば、係合部材）の少なくとも１つの突起との噛み合わせを意味することもある。
【０００９】
したがって、相互作用要素は、ねじ山、ねじ山の一部およびノブのうちの少なくとも１つを備えうる。相互作用要素は、係合部材の上に、具体的には係合部材の外面に設けることができる。
【００１０】
ハウジングと係合部材のねじ山係合により、係合部材は、動作位置からリセット位置まで、また逆も同様に、容易に移動可能に（具体的には軸方向に移動可能、また回転移動可能に）することができる。このようにして、交換カートリッジから複数の用量を投薬するためのデバイスの簡単で迅速なリセット操作の実行が可能になる。簡単に実行可能なデバイスのリセットは、デバイスの使用者の快適さを向上させる助けになりうる。さらに、リセット操作を可能にすることによって、複数の交換カートリッジを用いてデバイスを使用することができるので、デバイスの寿命を伸ばすこともできる。それゆえに、複数回使用することができ、対費用効果が非常に高いデバイスが提供される。
【００１１】
さらに、係合部材とピストン・ロッドは、互いにねじ山で係合することができる。この目的のために、係合部材とピストン・ロッドの少なくとも一方が別のねじ山を備え、係合部材とピストン・ロッドのもう一方が、その別のねじ山と係合する別の相互作用要素を備えて、ねじ山係合を確立することができる。
【００１２】
別の相互作用要素は、係合部材の上に、具体的には、例えば係合部材の内面に設けることができる。別の相互作用要素および別のねじ山は、係合部材とピストン・ロッドがねじ山で係合されてリセット位置と作動位置の間で係合部材を軸方向に同時に動かすよう、互いに機械的に協働するように構成される。
【００１３】
好ましくは、ハウジングと係合部材の少なくとも一方で設けられたねじ山は、係合部材とピストン・ロッドの少なくとも一方で設けられた別のねじ山と比べて等しいリードを備える。好ましくは、ハウジングと係合部材の少なくとも一方で設けられたねじ山は、係合部材とピストン・ロッドの少なくとも一方で設けられた別のねじ山と比べて等しいピッチを備える。好ましくは、ハウジングと係合部材の少なくとも一方で設けられたねじ山は、係合部材とピストン・ロッドの少なくとも一方で設けられた別のねじ山と比べて等しい回り方向にされる。このようにして係合部材は、リセット位置と作動位置の間で移動されるときに、ピストン・ロッドに対して、またハウジングに対して回転可能になりうる。ハウジングと係合部材の少なくとも一方で設けられたねじ山が、係合部材とピストン・ロッドの少なくとも一方で設けられた別のねじ山と比べて等しいリードおよび／または回り方向を備えなければ、作動位置とリセット位置の間で係合部材が移動することは不可能である。
【００１４】
「ピッチ」という用語は、好ましくは、らせんねじ山の軸と平行に測定された、らせんねじ山の連続する輪郭間の距離を意味するものである。
【００１５】
「リード」という用語は、好ましくは、ナットが完全に一回転することで前進する軸方向距離を意味するものである。好ましくは、「リード」は、らせんねじ山を有する構成要素（例えば、ピストン・ロッド）が一回転する間に進むことができる軸方向距離を意味するものである。したがって、リードは、関連構成要素のねじ山のピッチの関数になる。
【００１６】
別の一態様は、薬物送達デバイスの係合部材の使用に関する。係合部材の内面には相互作用要素を設けることができる。さらに、係合部材の外面には別の相互作用要素を設けることができる。相互作用要素は、ピッチおよび回り方向が等しい異なる２つのねじ山とねじ山係合するように提供することができる。この係合部材は、異なる２つのねじ山とのねじ山係合を同時に確立するために使用することができる。
【００１７】
これら異なる２つのねじ山の一方を、例えばデバイスのハウジングに設けることができる。異なる２つのねじ山のもう一方を、例えばデバイスのピストン・ロッドに設けることができる。これら２つのねじ山は、等しい回り方向でよい。
【００１８】
それぞれの相互作用要素がそれぞれのねじ山と機械的に協働することにより、異なる２つのねじ山が設けられた２つの構成要素（例えば、薬物送達デバイスのハウジングおよびピストン・ロッド）に対する係合部材の、軸方向と回転の合わさった移動が可能になる。したがって、係合部材は、例えばデバイスをリセットするために、２つの構成要素に対して回転させて軸方向に移動させることができる。このことが、デバイスの使用者の快適さを向上させる助けになりうる。さらに、このようなリセット操作を可能にすることによって、デバイスの寿命を伸ばすこともできる。それゆえに、対費用効果が高いデバイスを提供することができる。
【００１９】
もちろん、それぞれ異なる態様および実施形態に関連して上で説明された各特徴は、互いに組み合わせること、および以下で説明される特徴と組み合わせることができる。
【００２０】
さらなる特徴および改良が、添付の図に関連した例示的な実施形態についての以下の説明から明らかになる。
【図面の簡単な説明】
【００２１】
【図１Ａ】薬物送達デバイスの概略的な斜視側面図である。
【図１Ｂ】薬物送達デバイスの概略的な斜視側面図である。
【図２】図１Ａおよび図１Ｂの薬物送達デバイスの概略的な断面側面図である。
【図３】図２の薬物送達デバイスの一部分の概略的な斜視側面図である。
【図４】図２の薬物送達デバイスの一部分の概略的な断面側面図である。
【発明を実施するための形態】
【００２２】
類似の要素、同じ種類の要素、および全く同様に動作する要素は、図中で同じ参照番号を与えられることがある。
【００２３】
図１Ａ、図１Ｂおよび図２に薬物送達デバイス１が示されている。薬物送達デバイス１はハウジング３を備える。薬物送達デバイス１およびハウジング３は、遠位端および近位端を有する。遠位端は矢印８で示されている（図２参照）。近位端は矢印９で示されている（図２参照）。「遠位端」という用語は、薬物送達デバイス１の投薬端部に最も近い、または最も近くに配置されるべき薬物送達デバイス１の端部または構成要素を表す。「近位端」という用語は、デバイス１の投薬端部から最も遠い、または最も遠くに配置されるべきデバイス１の端部または構成要素を表す。遠位端と近位端は、軸の方向に互いに間隔が置かれている。軸は、デバイス１の縦軸１４（図２参照）とすることができる。
【００２４】
薬物送達デバイス１は、カートリッジ・ホルダ６（図２）を備える。薬物送達デバイス１は、カートリッジ２を備える。カートリッジ２は、カートリッジ・ホルダ６の中に保持される。カートリッジ・ホルダ６は、カートリッジ２の位置を機械的に安定させる。カートリッジ・ホルダ６は、例えばねじ山係合によって、ハウジング３に解放可能に連結可能である。あるいは、カートリッジ２をハウジング３に解放可能に連結することができる。この場合、カートリッジ・ホルダ６は余分になりうる（図１Ａおよび図１Ｂ参照）。デバイス１を保護するために、具体的には、カートリッジ・ホルダ６またはカートリッジ２を環境の影響から保護するために、キャップ５（図１Ａおよび図１Ｂ参照）を薬物送達デバイス１にしっかり固定することができる。
【００２５】
カートリッジ２は、薬物７（好ましくは薬物７の複数の用量）を含む。本明細書で使用する用語「薬物」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、アンチハウジングもしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２６】
インスリン類似体は、例えば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２７】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−Ｙ−グルタミル）−ｄｅｓ（Ｂ３０）ヒトインスリン；Ｂ２９−Ｎ−（Ｎ−リトコリル−Ｙ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００２８】
エキセンジン−４は、例えば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００２９】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３０】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３１】
ホルモンは、例えば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３２】
多糖類としては、例えば、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３３】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各アンチハウジングの基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３４】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（例えば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３５】
α、δ、ε、γおよびμで表される５種類の哺乳類Ｉｇ重鎖が存在する。存在する重鎖の種類によりアンチハウジングのアイソタイプが定義され、これらの鎖はそれぞれ、ＩｇＡ、ＩｇＤ、ＩｇＥ、ＩｇＧおよびＩｇＭ抗体中に見出される。
【００３６】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００３７】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各アンチハウジングは、常に同一である２本の軽鎖を有し、哺乳類の各アンチハウジングにつき、軽鎖κまたはλの１つのタイプのみが存在する。
【００３８】
すべての抗体の一般的な構造は非常に類似しているが、所与のアンチハウジングの固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００３９】
「アンチハウジングフラグメント」は、上記で定義した少なくとも１つの抗原結合フラグメントを含み、そのフラグメントが由来する完全アンチハウジングと本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４０】
薬学的に許容される塩は、例えば、酸付加塩および塩基性塩である。酸付加塩としては、例えば、ＨＣｌまたはＨＢｒ塩がある。塩基性塩は、例えば、アルカリまたはアルカリ土類金属、例えば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４１】
薬学的に許容される溶媒和物は、例えば、水和物である。
【００４２】
栓１０がカートリッジ２の中に摺動可能に保持される。栓１０は、カートリッジ２を近位で封止する。カートリッジ２に対して遠位方向に栓１０が移動することにより、薬物７がカートリッジ２から排出される。図２に示されるデバイス１の動作および機能についての詳細な説明は、参照によって本明細書に組み入れる国際公開第２００９／１３２７７７Ａ１号パンフレットに提示されている。
【００４３】
デバイス１は、投薬アセンブリ１５を備える（図３も参照）。投薬アセンブリ１５は、少なくとも一部はデバイス１のハウジング３の中に配置される。図３に示されるように、投薬アセンブリ１５は、投薬アセンブリ１５の少なくとも一部分に形成された傾斜面部分１５Ａを備えることができる。投薬アセンブリ１５は、ボタン４（図１Ａおよび図１Ｂ参照）を備える。ボタン４は、用量を設定および排出するために、ハウジング３に対して移動される。投薬アセンブリ１５は、駆動部材１３を備える。駆動部材１３は駆動スリーブでよい。投薬アセンブリ１５は、ピストン・ロッド１１を備える。駆動部材１３は、用量を設定するために、ハウジング３に対して回転可能である。駆動部材１３は、設定用量を送達するために、ハウジング３に対して回転可能である。用量を投薬するための駆動部材１３の動きがピストン・ロッド１１に伝えられて、駆動部材１３とピストン・ロッド１１が機械的に協働することによって、栓１０を遠位方向に動かす。ピストン・ロッド１１は、ねじ山１２を備える。ねじ山１２は、図２に示されるように、ピストン・ロッド１１の外面に配置される。
【００４４】
投薬アセンブリ１５は、ばね１９を備える。ばね１９は、例えば、らせんコイルばねでよい。ばね１９は、軸方向に（具体的には遠位に）向けた力を、図３および図４に関連して詳細に説明されるデバイス１の構成要素に作用させる。
【００４５】
薬物送達デバイス１はペン・デバイスでよく、具体的にはペン注射器でよい。デバイス１は、薬物７の固定用量（すなわち使用者が変更できない用量）、または薬剤７の使用者設定可能用量を投薬するように構成される。デバイス１は再使用可能デバイスであり、この再使用可能とは、特にリセット操作時にカートリッジ２を交換することが、交換カートリッジから複数の用量を投薬するための交換カートリッジによって可能であることを意味する。
【００４６】
図３は、図２の薬物送達デバイスの一部分の斜視側面図を概略的に示す。
【００４７】
デバイス１はさらに、係合部材１８を備える。係合部材１８は円形状を備える。係合部材１８は中央開口を備える。係合部材１８は、例えばナットを備える。
【００４８】
係合部材１８は、ピストン・ロッド１１のまわりに設けられる。具体的には、ピストン・ロッド１１は、係合部材１８の中央開口に通して案内される。係合部材１８は、好ましくは恒久的にハウジング３とねじ山係合している。係合部材１８は、好ましくは恒久的にピストン・ロッド１１とねじ山係合している。
【００４９】
係合部材１８は、相互作用要素１８Ａ、１８Ｂを備える。一方の相互作用要素１８Ａは、係合部材１８の内面に配置される。別の相互作用要素１８Ｂは、係合部材１８の外面に配置される。それぞれの相互作用要素１８Ａ、１８Ｂは、この実施形態によればねじ山の部分を備える。あるいは、それぞれの相互作用要素１８Ａ、１８Ｂは、完全なねじ山、具体的にはらせんねじ山を備えることができる。あるいは、それぞれの相互作用要素１８Ａ、１８Ｂは、ノブなどの１つまたは２つ以上の突起を備えることができる。
【００５０】
係合部材１８の内面に配置される相互作用要素１８Ａは、ピストン・ロッド１１のねじ山１２と機械的に協働して、係合部材１８とピストン・ロッド１１の間のねじ山係合を確立する。一代替実施形態（明示せず）では、係合部材１８はその内面に完全なねじ山を備え、ピストン・ロッド１１はその外面にねじ山またはノブの部分を備えて、ピストン・ロッド１１と係合部材１８の間のねじ山係合を確立することができる。
【００５１】
係合部材１８の外面に配置される相互作用要素１８Ｂは、ハウジング３（具体的にはハウジング３のねじ山３Ａ）と機械的に協働して、ハウジング３と係合部材１８の間のねじ山係合を確立する。ハウジング３のねじ山３Ａは、図４に示されるように、ハウジング３の内面に設けられる。ねじ山３Ａは、ハウジング３の内面のへこみを備える。ハウジング３のねじ山３Ａは、ハウジング３の内面まわりの円周方向に延びる端部３Ｂ（具体的には遠位端部）を備える（図４参照）。一代替実施形態（明示せず）では、係合部材１８はその外面に完全なねじ山を備え、ハウジング３はその内面にねじ山またはノブの部分を備えて、ハウジングと係合部材１８の間のねじ山係合を確立することができる。
【００５２】
ハウジング３のねじ山３Ａは、ピストン・ロッド１１のねじ山１２と比べて等しい回り方向にされる。ハウジング３のねじ山３Ａは、ピストン・ロッド１１のねじ山１２と比べて等しいリードを備える。ハウジング３のねじ山３Ａは、ピストン・ロッド１１のねじ山１２と比べて等しいピッチを備える。ハウジング３のねじ山３Ａおよびピストン・ロッド１１のねじ山１２は、両方が非自己ロッキングねじ山である。
【００５３】
係合部材１８は、ハウジング３に対して、またピストン・ロッド１１に対して、作動位置とリセット位置の間で移動可能である。具体的には、係合部材１８は、作動位置とリセット位置の間を結合部材１８が移動中、回転し同時に軸方向に移動する。係合部材１８の軸方向と回転の同時の動きは、上述のように、ハウジング３のねじ山、およびピストン・ロッド１１のねじ山の特定の形状および構造によって可能になる。
【００５４】
係合部材１８の作動位置は、ハウジング３に対して、リセット位置よりも近位に配置される。係合部材１８が作動位置にあるとき、係合部材１８は、係合部材１８とカートリッジ２が機械的に協働することにより（例えば、図４参照）、ハウジング３に対して、またピストン・ロッド１１に対して軸方向に（具体的には遠位に）移動しないようにしっかり固定される。作動位置では、係合部材１８は、ばね１９によって加えられる遠位に向けた力により、遠位方向に付勢される。これは、係合部材１８が作動位置にあるときに、ハウジング３に対して係合部材１８が近位に移動することを防止する助けになりうる。
【００５５】
さらに、係合部材１８が作動位置にあるとき、係合部材１８は、ハウジング３に対して、またピストン・ロッド１１に対して回転しないように固定される。この目的のために、係合部材１８は歯１８Ｃを備える。歯１８Ｃは、例えば、係合部材１８の外面に配置される。好ましくは歯１８Ｃは、係合部材１８の近位端部に配置される。歯１８Ｃが、ハウジング３の対応するロッキング部材（図には明示せず）と機械的に協働することにより、係合部材１８が作動位置にあるときに係合部材１８が回転することを防止する。歯１８Ｃが、ハウジング３の対応するロッキング部材と機械的に協働することは、ハウジング３に対して、またピストン・ロッド１１に対して、係合部材１８が作動位置とリセット位置の間で移動することが可能になるようなことでよい。具体的には、歯１８Ｃと、対応するロッキング部材との機械的協働によるハウジング３と係合部材１８のロッキング連結は、解放可能な連結である。一代替実施形態（例えば、図４参照）では、歯１８Ｃは余分になりうる。この場合、ハウジング３に対して、またピストン・ロッド１１に対して係合部材１８が回転することを、例えば、摩擦力によって防止することができる。
【００５６】
係合部材１８が作動位置にあるとき、相互作用要素１８Ａは、用量を投薬するためにピストン・ロッド１１が遠位に移動可能になり、また用量送達方向に回転可能になるように、ピストン・ロッド１１のねじ山１２と機械的に協働する。
【００５７】
係合部材１８を作動位置からリセット位置まで移動させるために、カートリッジ２がデバイス１から取り外される。ここで、係合部材１８は、カートリッジ２と係合部材１８の機械的協働によってその軸方向位置にもはや保持されていなく、その結果、ばね１９が係合部材１８をハウジング３に対して、またピストン・ロッド１１に対して遠位方向に動かすことになる。それによって、歯１８Ｃは、ハウジング３のブロッキング部材との機械的協働から外れ、その結果、係合部材１８は、相互作用要素１８Ｂがハウジング３のねじ山３Ａおよびピストン・ロッド１１のねじ山１２と機械的に協働することにより、ハウジング３に対して回転可能になる。それによって、係合部材１８もまた、相互作用要素１８Ａがピストン・ロッド１１のねじ山１２およびハウジング３のねじ山と機械的に協働することにより、ピストン・ロッド１１に対して回転する。これは、ハウジング３のねじ山、およびピストン・ロッド１１のねじ山１２の各リードおよび回り方向が等しいことによって可能になる。係合部材１８は、用量を投薬するためにロッド１１が軸方向に、すなわちデバイス１の遠位端から見て送達方向に移動されるとき、ピストン・ロッド１１の回転方向と比べて同一の方向に回転する。
【００５８】
係合部材１８は、相互作用要素１８Ｂがハウジング３のねじ山３Ａの円周端部３Ｂと機械的に協働するまで回転され遠位に移動される。係合部材１８は、円周端部３Ｂと機械的に協働するとき、自由に（具体的には双方向に）回転可能であるが、ハウジング３に対しては、もはや遠位に移動可能ではない。円周端部３Ｂは、ハウジング３に対して半径方向内側に突き出る突起３Ｃを備えることができる。突起３Ｃは、円周端部３Ｂの遠位端部に配置される。突起３Ｃは、係合部材１８の遠位端部と機械的に協働して、係合部材１８がリセット位置に配置されたときに係合部材１８がハウジング３に対してさらに遠位に移動することを防止する。したがって、ハウジング３のねじ山の遠位端部３Ｂは、係合部材１８の遠位端止めを形成する。係合部材１８は、円周端部３Ｂと機械的に協働するとき、リセット位置にある。
【００５９】
次に、使用者は、ピストン・ロッド１１を近位方向に移動させてデバイス１をリセットすることができる。それによって、ピストン・ロッド１１は、ハウジング３に対してリセット方向に回転する。このリセット方向は、用量を送達するときにピストン・ロッド１１が回転する方向と反対でよい。
【００６０】
ピストン・ロッド１１を近位方向に移動させるとき、係合部材１８は、相互作用要素１８Ａ、１８Ｂがハウジング３のねじ山３Ａ、３Ｂ、およびピストン・ロッド１１のねじ山１２と機械的に協働することにより、ハウジング３に対して、またピストン・ロッド１１に対して回転する。係合部材１８は、それがリセット位置に移動されるときに係合部材１８が回転する送達方向と反対の方向に回転する。
【００６１】
使用者が、リセット操作時にピストン・ロッド１１をハウジング３に対して近位端部分（図示せず）に移動させたとき、ピストン・ロッド１１のリセットが完了する。次に、交換カートリッジを解放可能にハウジング３に連結することができる。この連結操作中、交換カートリッジおよび／またはカートリッジ・ホルダ６（具体的にはその近位端部）は、係合部材１８と機械的に協働して、相互作用要素１８Ｂをハウジング３のねじ山の円周端部３Ｂとの機械的な協働から外して移動させる。次に、係合部材１８は、相互作用要素１８Ａ、１８Ｃがハウジングのねじ山３Ａ、およびピストン・ロッド１１のねじ山１２と機械的に協働することにより、ハウジング３に対して、またピストン・ロッド１１に対して近位方向に移動され回転される。係合要素１８は、ばね１９によって与えられる遠位に向けられた力に抗して近位に移動される。係合部材１８は、それが作動位置からリセット位置に（すなわち送達方向と反対の方向に）移動されたときのその回転方向と比べて反対の方向に回転する。ハウジング３に対する、またピストン・ロッド１１に対する係合部材１８の回転は、具体的には、ハウジング３のねじ山３Ａ、およびピストン・ロッド１１のねじ山１２のリードおよび回り方向が等しいことにより可能になる。
【００６２】
カートリッジ２が、ハウジング３に対してその最終位置に達したとき（具体的には、カートリッジ２がハウジング３に確実に連結されたとき）、係合部材１８は作動位置に戻っている。係合部材１８は、それが作動位置にあるときには、上述のように歯１８Ｃがハウジング３のロッキング部材と機械的に協働することにより、ハウジング３に対してもはや回転移動可能ではない。こうして、デバイスは、交換カートリッジからの用量を設定および投薬する準備ができている。
【符号の説明】
【００６３】
１  薬物送達デバイス
２  カートリッジ
３  ハウジング
３Ａ  ねじ山
３Ｂ  円周端部
３Ｃ  突起
４  ボタン
５  キャップ
６  カートリッジ・ホルダ
７  薬物
８  遠位端
９  近位端
１０  栓
１１  ピストン・ロッド
１２  ピストン・ロッドの外側ねじ山
１３  駆動部材
１４  縦軸
１５  投薬アセンブリ
１５Ａ  傾斜面部分
１８  係合部材
１８Ａ  相互作用要素
１８Ｂ  相互作用要素
１８Ｃ  歯
１９  ばね
【図１Ａ】
2014531949.tif 000003
【図１Ｂ】
2014531949.tif 000004
【図２】
2014531949.tif 000005
【図３】
2014531949.tif 000006
【図４】
2014531949.tif 000007
【国際調査報告】
2014531949.tif 000008
2014531949.tif 000009
2014531949.tif 000010